(57)【特許請求の範囲】
【請求項１】
中央で二つ折り状に弾性折り曲げ形成され幅の異なる平行部分１ａ，１ｃが複数個所設けられた左右対称形の弾性棒状体１と、その左右両側部を基端として上方に湾曲しうる合成樹脂製の板状体２ａの上面にブラシ毛５が立設され上記板状体２ａの裏面の左右両側部に上記弾性棒状体１に摺動自在に外嵌しうる筒状部３が形成されたブラシ台部２とを備え、上記弾性棒状体１の幅狭の平行部分１ｃにブラシ台部２の筒状部３を外嵌した状態ではブラシ台部２が上方に大きく湾曲し、上記弾性棒状体１の幅広の平行部分１ａにブラシ台部２の筒状部３を外嵌した状態ではブラシ台部２が平面状となりもしくは上方に少し湾曲するように構成したことを特徴とするヘアブラシ。
【発明の詳細な説明】
【０００１】
【産業上の利用分野】
この発明は、カールブラシとしても用いることのできるヘアブラシに関するものである。
【０００２】
【従来の技術】
従来、ヘアブラシをカールブラシとしても利用できるようにしたものとして、実開昭５９−１８２２２６号公報に示すものが提案されている。このものは、図１７に示すように、先端部にロッド支持部材２１が連設された把手２０と、表面に毛束２３が形成され左右両側縁部に管状部２２ａが連設された植毛板２２と、この植毛板２２の管状部２２ａに挿通される２本のロッド２４と、各ロッド２４の先端部にねじ結合される２つのボール２５とを備えており、一方のボール２５に凹部からなる連結素子２５ａが形成され、他方のボール２５に凸部からなる連結素子２５ｂが突出形成されている。また、上記ロッド支持部材２１は、その前面に、上記両ロッド２４の基端部が摺動しうる断面十字型（この十字型の２辺の長さは異なっている）の深溝状の穴２６が穿設されており、この穴２６の４つの端部のうち、上下一対の端部２６ａに短離間距離側のロッド着座部（図示せず）が形成され、左右一対の端部２６ｂに長離間距離側のロッド着座部（図示せず）が形成されている。このような構成において、ヘアブラシを平型として用い髪を梳く場合には、図１８に示すように、両ロッド２４の後端部をロッド支持部材２１の長離間距離側のロッド着座部（上記穴２６の左右一対の端部２６ｂ）に位置決めし、植毛板２２を僅かに撓ませた状態で使用することが行われる。また、ヘアブラシを回転型として用い髪をセットする場合には、図１９に示すように、両ロッド２４の後端部をロッド支持部材２１の短離間距離側のロッド着座部（上記穴２６の上下一対の端部２６ａ）に位置決めするとともに、両ボール２５の連結素子２５ａ，２５ｂを嵌合連結させて、植毛板２２を円筒状に撓ませた状態で使用することが行われる。
【０００３】
【発明が解決しようとする課題】
しかしながら、上記ヘアブラシでは、部品点数が多く、在庫管理等の管理面が複雑になるという問題がある。また、把手２０のロッド支持部材２１に断面十字型の穴２６を穿設するとともに、この穴２６の４つの端部にそれぞれロッド着座部を形成しなければならず、構造が複雑化し、作製が困難化するという問題もある。
【０００４】
この発明は、このような事情に鑑みなされたもので、部品点数が少なく、構造が簡単で作製が容易なヘアブラシの提供をその目的とする。
【０００５】
【課題を解決するための手段】
上記の目的を達成するため、この発明のヘアブラシは、中央で二つ折り状に弾性折り曲げ形成され幅の異なる平行部分が複数個所設けられた左右対称形の弾性棒状体と、その左右両側部を基端として上方に湾曲しうる合成樹脂製の板状体の上面にブラシ毛が立設され上記板状体の裏面の左右両側部に上記弾性棒状体に摺動自在に外嵌しうる筒状部が形成されたブラシ台部とを備え、上記弾性棒状体の幅狭の平行部分にブラシ台部の筒状部を外嵌した状態ではブラシ台部が上方に大きく湾曲し、上記弾性棒状体の幅広の平行部分にブラシ台部の筒状部を外嵌した状態ではブラシ台部が平面状となりもしくは上方に少し湾曲するように構成したという構成をとる。
【０００６】
【作用】
すなわち、この発明のヘアブラシは、中央で二つ折り状に弾性折り曲げ形成され幅の異なる平行部分が複数個所設けられた左右対称形の弾性棒状体と、その左右両側部を基端として上方に湾曲しうる合成樹脂製の板状体の上面にブラシ毛が立設され上記板状体の裏面の左右両側部に上記弾性棒状体に摺動自在に外嵌しうる筒状部が形成されたブラシ台部とを備えている。このような発明のヘアブラシを用いて髪を梳く場合には、上記弾性棒状体の幅広の平行部分にブラシ台部の筒状部を外嵌することが行われる。これにより、上記弾性棒状体にブラシ台部が平面状にもしくは上方に少し湾曲した状態で取付けられるようになり、通常のヘアブラシとして使用することができる。また、髪をカールする等セットする場合には、上記弾性棒状体の幅狭の平行部分にブラシ台部の筒状部を外嵌することが行われる。これにより、ブラシ台部が上方に大きく湾曲した状態になり、カールブラシとしても使用することができる。上記のように、この発明のヘアブラシは、弾性棒状体とブラシ台部とからなり、部品点数が少なく、在庫管理等の管理面が簡素化される。しかも、上記弾性棒状体は中央で二つ折り状に弾性折り曲げ形成され、これにより、幅の異なる平行部分を複数個所設けるようにしているだけであり、構造が簡単で、作製が容易化する。
【０００７】
この発明を実施例にもとづいて詳しく説明する。
【０００８】
【実施例】
図１はこの発明のヘアブラシの一実施例を示している。この実施例では、上記ヘアブラシは、棒状体１と、ブラシ台部２と、このブラシ台部２の左右両側部に取付けられる６個の筒状体３と、上記棒状体１の先端部に取付けられる抜止め部材４とからなる。
【０００９】
より詳しく説明すると、上記棒状体１は、図２および図３に示すように、金属製の弾性線状体を同一平面上で略Ｕ字状に（中央で二つ折り状に）折り曲げて左右対称形にしたもので構成されており、前側の幅広の平行部分１ａと、中央の内向き傾斜状部分１ｂと、後側の幅狭の平行部分１ｃと、後端の連結部１ｄとで構成されている。
【００１０】
上記ブラシ台部２は、図４および図５に示すように、その左右両側部を基端として上方に湾曲しうる合成樹脂製の板状体２ａと、この板状体２ａの上面に一体的に立設された６列のブラシ毛５とからなり、上記板状体２ａには、図６に示すように、その裏面の左右両側部の前部，中央部および後部の３個所に、横辺６ａが内側に向かって延びるＬ字状の係合部６が形成されている。
【００１１】
上記筒状体３は合成樹脂製であり、図７および図８に示すように、上記棒状体１に摺動自在に外嵌しうる貫通穴８が前後方向の全幅にわたって穿設された本体４ａを備え、この本体４ａの上部に、上記ブラシ台部２の係合部６のＬ字状の横辺６ａに外嵌しうる溝７が前後方向の全幅にわたって形成されている。
【００１２】
また、上記抜止め部材４は、図９および図１０に示すように、合成樹脂製のブロック体に形成されており、その後面には、上記棒状体１の幅広の平行部分１ａに対応する位置に、この棒状体１に外嵌しうる左右一対の凹部９が穿設されている。
【００１３】
上記構成において、ヘアブラシを作製する場合には、まず、ブラシ台部２の左右両側部に形成された６個の係合部６に筒状体３を、上記係合部６のＬ字状の横辺６ａを筒状体３の溝７に内嵌させることにより、取付ける。ついで、棒状体１の前側にブラシ台部２を配置し、このブラシ台部２の筒状体３を棒状体１の幅広の平行部分１ａに位置決めし、その状態で、上記筒状体３の貫通穴８に棒状体１を挿通し（図１１参照）、そののち、抜け止め部材４を上記幅広の平行部分１ａの先端部に取付けることが行われる。
【００１４】
このようなヘアブラシを用いて髪を梳く場合には、図１２に示すように、棒状体１の幅広の平行部分１ａにブラシ台部２を位置させることが行われる。これにより、上記棒状体１にブラシ台部２が少し湾曲した状態で取付けられ（図１１参照）、通常のヘアブラシとして使用することができる。また、髪をカールする等セットする場合には、図１３に示すように、上記ブラシ台部２を後方に移動させて棒状体１の幅狭の平行部分１ｃに位置させることが行われる。これにより、図１４に示すように、上記棒状体１にブラシ台部２が大きく湾曲した状態で取付けられ、カールブラシとして使用することができる。
【００１５】
このように、上記ヘアブラシは部品点数が少なく、在庫管理等の管理面が簡単になる。しかも、棒状体１は略Ｕ字状に折り曲げ形成されているだけであり、構造が簡単で、作製が容易である。
【００１６】
図１５はこの発明の他の実施例を示している。この実施例では、棒状体１の幅広の平行部分１ａの左右幅がブラシ台部２の左右両側部に取付けられた筒状体３の貫通穴８の左右幅と等しくなるように形成されており、これにより、上記幅広の平行部分１ａにブラシ台部２を位置させたときにブラシ台部２が平面状になるようにしている。これ以外の部分は上記実施例と同様であり、同様の部分には同じ符号を付している。
【００１７】
図１６はこの発明のさらに他の実施例を示している。この実施例では、ブラシ台部２の左右両側部に、棒状体１に摺動自在に外嵌する筒状部１０が一体的に形成されている。このものでは、上記実施例では必要であった筒状体３が不要になり、部品点数が少なくなるという利点がある。これ以外の部分は上記実施例と同様であり、同様の部分には同じ符号を付している。
【００１８】
【発明の効果】
以上のように、この発明のヘアブラシによれば、部品点数が少なく、在庫管理等の管理面が簡素化される。しかも、上記弾性棒状体は中央で二つ折り状に弾性折り曲げ形成され、これにより、幅の異なる平行部分を複数個所設けるようにしているだけであり、構造が簡単で、作製が容易化する。
【図面の簡単な説明】
【図１】この発明のヘアブラシの一実施例を示す斜視図である。
【図２】棒状体を示す平面図である。
【図３】上記棒状体を示す正面図である。
【図４】上記ブラシ台部を示す正面図である。
【図５】上記ブラシ台部を示す平面図である。
【図６】上記ブラシ台部を示す裏面図である。
【図７】係合用部材を示す正面図である。
【図８】上記係合用部材を示す側面図である。
【図９】抜止め部材を示す断面図である。
【図１０】上記抜止め部材を示す側面図である。
【図１１】この発明の作用を示す拡大正面図である。
【図１２】この発明の作用を示す拡大平面図である。
【図１３】この発明の作用を示す拡大平面図である。
【図１４】この発明の作用を示す拡大正面図である。
【図１５】この発明の他の実施例を示す拡大正面図である。
【図１６】この発明のさらに他の実施例を示す拡大正面図である。
【図１７】従来例を示す分解斜視図である。
【図１８】従来例の作用を示す斜視図である。
【図１９】従来例の作用を示す斜視図である。
【符号の説明】
１  棒状体
１ａ  幅広の平行部分
１ｃ  幅狭の平行部分
２  ブラシ台部
３  筒状体
４  抜止め部材
５  ブラシ毛
【図１】
0003576219.tif 000002
【図２】
0003576219.tif 000003
【図３】
0003576219.tif 000004
【図４】
0003576219.tif 000005
【図５】
0003576219.tif 000006
【図６】
0003576219.tif 000007
【図７】
0003576219.tif 000008
【図８】
0003576219.tif 000009
【図９】
0003576219.tif 000010
【図１０】
0003576219.tif 000011
【図１１】
0003576219.tif 000012
【図１２】
0003576219.tif 000013
【図１３】
0003576219.tif 000014
【図１４】
0003576219.tif 000015
【図１５】
0003576219.tif 000016
【図１６】
0003576219.tif 000017
【図１７】
0003576219.tif 000018
【図１８】
0003576219.tif 000019
【図１９】
0003576219.tif 000020